(57)【要約】      （修正有）【課題】ダンス中に胸を十分に張るよう姿勢を矯正できるダンス用姿勢矯正具を提供する。【解決手段】板部材１１は、人の背中にあてがわれる。ベルト部材１２ａ，１３ａ，は、板部材の上部においてループ形状を形成し、人の右腕の付け根部分を通る。ベルト部材１４ａ，１５ａは、板部材１１の上部においてループ形状を形成し、人の左腕の付け根部分を通る。ベルト部材１６ａ，１７ａは、板部材１１の下部においてループ形状を形成し、人の腹部分を通る。これにより、人の両肩は、ベルト部材１２ａ，１３ａ，１４ａ，１５ａによって、背中にあてがわれた板部材１１方向に引き付けられ、ダンス中に胸を十分に張るよう姿勢を矯正することができる。【選択図】図１
0003180321.tif 000002
【実用新案登録請求の範囲】
【請求項１】
人の背中にあてがわれる板部材と、
前記板部材の上部右側においてループ形状を形成し、前記人の右腕の付け根部分を通る第１のベルト部材と、
前記板部材の上部左側においてループ形状を形成し、前記人の左腕の付け根部分を通る第２のベルト部材と、
前記板部材の下部においてループ形状を形成し、前記人の腹部分を通る第３のベルト部材と、
を有することを特徴とするダンス用姿勢矯正具。
【請求項２】
前記板部材の幅は、装着時の前記人の左右肩甲骨の幅より狭いことを特徴とする請求項１記載のダンス用姿勢矯正具。
【請求項３】
前記板部材は、第１の板部材と、第２の板部材と、を有し、
前記板部材は、前記第１の板部材に対し、前記第２の板部材をスライドさせることによってその長さを変えられることを特徴とする請求項１または２に記載のダンス用姿勢矯正具。
【請求項４】
前記板部材の前記人と接する側の上部において設けられる姿勢補強板部材と、
前記板部材と前記姿勢補強板部材との距離を調整する調整部材と、
を有することを特徴とする請求項１乃至３のいずれかに記載のダンス用姿勢矯正具。
【考案の詳細な説明】
【技術分野】
【０００１】
本件は、ダンス用の姿勢矯正具に関する。
【背景技術】
【０００２】
従来、社交ダンスを練習するのに、頭の位置や腕の位置を矯正できる社交ダンス姿勢矯正器が提供されている（例えば、特許文献１参照）。
また、従来、教習生の腕を保持して姿勢を矯正する姿勢矯正具が提供されている（例えば、特許文献２参照）。
【先行技術文献】
【特許文献】
【０００３】
【特許文献１】実公平０５−２２２０８号公報
【特許文献２】実公昭６１−１０３１６７号公報
【考案の概要】
【考案が解決しようとする課題】
【０００４】
しかし、これらの姿勢矯正具は、ダンス中に胸を十分に張るよう姿勢矯正することができないという問題点があった。
例えば、これらの姿勢矯正具は、ダンス中の猫背などを十分に矯正することができなかった。
【０００５】
本件はこのような点に鑑みてなされたものであり、ダンス中に胸を十分に張るよう姿勢を矯正することができるダンス用姿勢矯正具を提供することを目的とする。
【課題を解決するための手段】
【０００６】
上記課題を解決するために、ダンス用姿勢矯正具が提供される。この姿勢矯正具は、人の背中にあてがわれる板部材と、前記板部材の上部右側においてループ形状を形成し、前記人の右腕の付け根部分を通る第１のベルト部材と、前記板部材の上部左側においてループ形状を形成し、前記人の左腕の付け根部分を通る第２のベルト部材と、前記板部材の下部においてループ形状を形成し、前記人の腹部分を通る第３のベルト部材と、を有する。
【考案の効果】
【０００７】
開示のダンス用姿勢矯正具によれば、ダンス中に胸を十分に張るよう姿勢を矯正できる。
【図面の簡単な説明】
【０００８】
【図１】第１の実施の形態に係るダンス用姿勢矯正具の正面図である。
【図２】ダンス用姿勢矯正具の背面図である。
【図３】ダンス用姿勢矯正具の側面図である。
【図４】人の正面方向から見たダンス用姿勢矯正具の装着を説明する図である。
【図５】人の背中方向から見たダンス用姿勢矯正具の装着を説明する図である。
【図６】バックルの正面図である。
【図７】バックルにベルト部材を通したときの側面図である。
【図８】第２の実施の形態に係るダンス用姿勢矯正具の正面図である。
【図９】板部材の斜視図である。
【図１０】第３の実施の形態に係るダンス用姿勢矯正具の側面図を示した図である。
【図１１】ダンス用姿勢矯正具の正面図を示した図である。
【図１２】調整部材を説明する図である。
【考案を実施するための形態】
【０００９】
以下、実施の形態を、図面を参照して詳細に説明する。
［第１の実施の形態］
図１は、第１の実施の形態に係るダンス用姿勢矯正具の正面図である。図１に示すように、ダンス用姿勢矯正具は、板部材１１、ベルト部材１２ａ，１３ａ，１４ａ，１５ａ，１６ａ，１７ａ、およびバックル１２ｂ，１３ｂ，１４ｂ，１５ｂ，１６ｂ，１７ｂを有している。
【００１０】
図１に示すダンス用姿勢矯正具は、例えば、社交ダンスの練習において、姿勢を矯正するのに用いられる。例えば、ダンス用姿勢矯正具は、猫背の人が胸を十分に張ってダンスができるように矯正する。
【００１１】
板部材１１は、人の背中にあてがわれる。図１においては、板部材１１は、紙面表側の面において、人の背中と接触する。板部材１１は、例えば、アクリル板であり、縦×横の大きさは、例えば、４５ｃｍ×１０ｃｍである。厚さは、例えば、５ｍｍである。
【００１２】
ここで、板部材１１は、上述したように図１の紙面表側の面において、人の背中と接触する。以下では、板部材１１を人の背中にあてがったときの人の正面方向において（板部材１１を人の背中にあてがったときの人を基準に）、左右を定義する。従って、例えば、図１における板部材１１の左側は右側、板部材１１の右側は左側となる。
【００１３】
図１の板部材１１上に示す丸印は、例えば、リベットであり、ベルト部材１２ａ，１３ａ，１４ａ，１５ａ，１６ａ，１７ａを板部材１１に固定している部品を示している。つまり図１のベルト部材１２ａ，１３ａ，１４ａ，１５ａ，１６ａ，１７ａは、板部材１１上に示す丸印の位置で板部材１１に固定されている。ベルト部材１２ａ，１３ａ，１４ａ，１５ａ，１６ａ，１７ａは、例えば、厚さ１．６ｍｍ、幅２５ｍｍのベルトである。材質は、例えば、ポリプロピレンである。
【００１４】
ベルト部材１２ａ，１５ａとベルト部材１３ａ，１４ａのそれぞれは、ひと続きのベルトとなっている。そして、ベルト部材１２ａ，１５ａとベルト部材１３ａ，１４ａは、板部材１１の紙面裏側の面においてクロスされ、板部材１１に固定されている。また、ベルト部材１６ａ，１７ａは、ひと続きのベルトとなっており、板部材１１に固定されている。
【００１５】
なお、ベルト部材１２ａ，１５ａとベルト部材１３ａ，１４ａのクロスした部分、およびベルト部材１６ａ，１７ａの中央部分は、板部材１１の紙面裏側の面を通っているが、図１では、板部材１１が透明なアクリル板の例を示しているので、紙面裏側を通っている部分も図示している。
【００１６】
ベルト部材１２ａ，１３ａは、板部材１１の上部右側から伸びている。ベルト部材１２ａ，１３ａは、バックル１３ｂをバックル１２ｂに差し込むことによって、ループ形状を形成する。ベルト部材１２ａ，１３ｂが形成するループ形状は、以下で説明するが、人の右腕の付け根部分を通る。
【００１７】
ベルト部材１４ａ，１５ａは、板部材１１の上部左側から伸びている。ベルト部材１４ａ，１５ａは、バックル１５ｂをバックル１４ｂに差し込むことによって、ループ形状を形成する。ベルト部材１４ａ，１５ａが形成するループ形状は、以下で説明するが、人の左腕の付け根部分を通る。
【００１８】
ベルト部材１６ａ，１７ａは、板部材１１の下部の左右から伸びている。ベルト部材１６ａ，１７ａは、バックル１６ｂをバックル１７ｂに差し込むことによって、ループ形状を形成する。ベルト部材１６ａ，１７ａが形成するループ形状は、以下で説明するが、人の腹部を通る。
【００１９】
なお、図１では、ベルト部材１２ａ，１５ａ、ベルト部材１３ａ，１４ａ、およびベルト部材１６ａ，１７ａのそれぞれは、ひと続きのベルトとなっているが、個別のベルトであってもよい。すなわち、ベルト部材１２ａ，１３ａのそれぞれが、板部材１１の上部右側から伸び、ベルト部材１４ａ，１５ａのそれぞれが、板部材１１の上部左側から伸び、ベルト部材１６ａ，１７ａのそれぞれが、板部材１１の下部左右から伸びていればよい。
【００２０】
バックル１２ｂ，１３ｂは、ベルト部材１２ａ，１３ａが形成するループを開閉するためのバックルである。例えば、雄型のバックル１３ｂを、雌型のバックル１２ｂに差し込むことにより、ベルト部材１２ａ，１３ａは、人の右腕の付け根部分を通るループを形成する。
【００２１】
バックル１４ｂ，１５ｂは、ベルト部材１４ａ，１５ａが形成するループを開閉するためのバックルである。例えば、雄型のバックル１５ｂを、雌型のバックル１４ｂに差し込むことにより、ベルト部材１４ａ，１５ａは、人の左腕の付け根部分を通るループを形成する。
【００２２】
バックル１６ｂ，１７ｂは、ベルト部材１６ａ，１７ａが形成するループを開閉するためのバックルである。例えば、雄型のバックル１６ｂを、雌型のバックル１７ｂに差し込むことにより、ベルト部材１６ａ，１７ａは、人の腹部を通るループを形成する。
バックル１２ｂ，１３ｂ，１４ｂ，１５ｂ，１６ｂ，１７ｂは、例えば、ニコフ社製のＳＲ２５である。
【００２３】
図２は、ダンス用姿勢矯正具の背面図である。図２において、図１と同じものには同じ符号が付してある。図２においては、板部材１１の紙面裏側の面が、人の背中にあてがわれる面となる。また、以下で説明するが、ベルト部材１３ａ，１５ａ，１６ａは、バックル１３ｂ，１５ｂ，１６ｂにおいて、その長さを調整することができる。
図３は、ダンス用姿勢矯正具の側面図である。図３において、図１と同じものには同じ符号が付してある。
【００２４】
図３は、図１の右方向からみたダンス用姿勢矯正具の側面図を示している。従って、図３における板部材１１の左側の面が、人の背中にあてがわれる面となる。なお、図３では、ベルト部材１２ａ，１３ａ，１６ａの図示を省略している。また、バックル１２ｂ，１３ｂ，１４ｂ，１５ｂ，１６ｂ，１７ｂの図示を省略している。
図４は、人の正面方向から見たダンス用姿勢矯正具の装着を説明する図である。図４において、図１と同じものには同じ符号を付し、その説明を省略する。
【００２５】
ダンス用姿勢矯正具を装着するには、例えば、図４において図示していない板部材１１を人の背中にあてがう。そして、ベルト部材１２ａを人の右肩上に通し、ベルト部材１３ａを人の右脇下に通して、バックル１３ｂをバックル１２ｂに差し込む。また、ベルト部材１４ａを人の左肩上に通し、ベルト部材１５ａを人の右脇下に通して、バックル１５ｂをバックル１４ｂに差し込む。さらに、ベルト部材１６ａを人の右腹部に通し、ベルト部材１７ａを人の左腹部に通し、バックル１６ｂをバックル１７ｂに差し込む。
【００２６】
これにより、人の左右の肩は、ベルト部材１２ａ，１３ｂ，１４ａ，１５ｂによって、背中にあてがわれた板部材１１の方向に引き付けられ、引き付けられた状態で姿勢が維持される。すなわち、人の胸は、人の正面から見て胸を張るように矯正される。
図５は、人の背中方向から見たダンス用姿勢矯正具の装着を説明する図である。図５において、図１と同じものには同じ符号を付し、その説明を省略する。
【００２７】
図５に示すように、板部材１１を人の背中にあてがう。例えば、板部材１１は、その長手方向が、背骨の伸びている方向と平行となるように、背中の中心にあてがう。
【００２８】
なお、板部材１１の幅は、ダンス用姿勢矯正具を装着したときの、人の左右肩甲骨の間の距離より狭い方が望ましい。これにより、人の両肩は、ベルト部材１２ａ，１３ａ，１４ａ，１５ａによって、より板部材１１方向に引き付けられ、胸を人の正面方向に張らすことができる。
【００２９】
図６は、バックルの正面図である。図６には、図１に示したバックル１３ｂの正面図が示してある。図６に示すように、バックル１３ｂは、穴１３ｂａ，１３ｂｂを有している。
【００３０】
図７は、バックルにベルト部材を通したときの側面図である。図７は、図６のバックル１３ｂを、図６の下方方向から見た側面図を示している。図７において、図１および図６と同じものには同じ符号が付してある。
【００３１】
ベルト部材１３ａの一端を、図６に示した穴１３ｂａに通し、穴１３ｂｂに通す。そうすると、ベルト部材１３ａは、図７に示すように、バックル１３ｂにつながる。そして、図７に示すベルト部材１３ａの一端を、図７の左方向に送り込むように、ベルト部材１３ａを穴１３ｂａに送り込めば、ベルト部材１３ａの長さは短くなり、ベルト部材１３ａとベルト部材１２ａによって形成されるループは小さくなる。
【００３２】
一方、前記とは逆の方向にベルト部材１３ａを送り込めば、ベルト部材１３ａの長さは長くなり、ベルト部材１３ａとベルト部材１２ａによって形成されるループは小さくなる。
なお、図１に示したバックル１５ｂ，１６ｂも同様に、ベルト部材１５ａ，１６ａの長さを調整することができる。
【００３３】
このように、ダンス用姿勢矯正部は、人の背中にあてがわれる板部材１１と、板部材１１の上部右側においてループ形状を形成し、人の右腕の付け根部分を通るベルト部材１２ａ，１３ａと、板部材１１の上部左側においてループ形状を形成し、人の左腕の付け根部分を通るベルト部材１４ａ，１５ａと、板部材１１の下部においてループ形状を形成し、装着時に人の腹部分を通るベルト部材１６ａ，１７ａとを有するようにした。
【００３４】
これにより、人の両肩は、ベルト部材１２ａ，１３ａ，１４ａ，１５ａによって、背中にあてがわれた板部材１１方向に引き付けられ、ダンス中に胸を十分に張るよう姿勢を矯正することができる。
【００３５】
また、板部材１１の幅を、人の左右肩甲骨の間の距離より狭くすることにより、人の両肩を、ベルト部材１２ａ，１３ａ，１４ａ，１５ａによって、より板部材１１方向に引き付けることができ、胸を人の正面方向に十分に張らすことができる。
【００３６】
また、ダンス用姿勢矯正具は、ベルト部材１３ａ，１５ａの長さによって、人の両腕つけ部分を通るループの長さを調整できるようにした。これにより、ループの長さを短くして、人の両腕付け根部分を強く締め付けると、両肩を板部材１１方向により引き付けることができ、胸を人の正面方向に十分に張らすことができる。
【００３７】
また、ダンス用姿勢矯正具は、ベルト部材１６ａの長さによって、人の腹部を通るループの長さを調整できるようにした。これにより、人の腹部の大きさに合うようにループの長さを調整して、ダンス用姿勢矯正具を装着することができる。
【００３８】
なお、上記では、バックル１３ｂ，１５ｂ，１６ｂにおいて、ベルト部材１３ａ，１５ａ，１６ａの長さを調整できるとしたが、これに限るものではない。すなわち、ベルト部材１２ａ，１３ｂ、ベルト部材１４ａ，１５ａ、およびベルト部材１６ａ，１７ａのそれぞれの形成するループ形状の長さが調整できればよい。
［第２の実施の形態］
次に、第２の実施の形態を、図面を参照して詳細に説明する。第２の実施の形態では、人の身長に合わせて、板部材１１の長さを調整できるようにする。
【００３９】
図８は、第２の実施の形態に係るダンス用姿勢矯正具の正面図である。図８において、図１と同じものには同じ符号が付してある。なお、図８では、ベルト部材およびバックルの図示は省略している。
【００４０】
図８に示すように、板部材１１は、２つの板部材２１，２２を有している。板部材１１は、板部材２１，２２をスライドさせることによって、その長さを変えることができる。
【００４１】
図９は、板部材の斜視図である。図９において、図８と同じものには同じ符号が付してある。なお、図９では、板部材２１，２２の一部が示してあり、板部材２２においてはその断面が示してある。
【００４２】
図９に示すように、板部材２２は、両端にコの字のガイド２２ａ，２２ｂを有している。板部材２１の両端は、コの字のガイド２２ａ，２２ｂの内側に通される。
【００４３】
このように、板部材１１は、板部材２１，２２を有し、それぞれをスライドさせることによって、その長さを変えられるようにした。これにより、人の背中にあてがわれる板部材１１は、人の身長や座高等に合わせてその長さを変えることができる。
【００４４】
なお、上記では、板部材２２がコの字のガイド２２ａ，２２ｂを有し、そのガイド２２ａ，２２ｂに板部材２１を通してスライド動作をさせるようにしたが、これに限るものではない。すなわち、２つの板部材２１，２２をスライドさせて、板部材１１の長さを変えることができればよい。
［第３の実施の形態］
【００４５】
次に、第３の実施の形態を、図面を参照して詳細に説明する。第３の実施の形態では、板部材１１の上部に、板部材１１より小さい補強板部材を設け、胸をより張ることができるようにする。
図１０は、第３の実施の形態に係るダンス用姿勢矯正具の側面図を示した図である。図１０において、図１と同じものには同じ符号が付してある。
【００４６】
図１０は、図１の右方向からみたダンス用姿勢矯正具の側面図を示している。従って、図１０における板部材１１の左側の面が、人の背中にあてがわれる面となる。なお、図１０では、ベルト部材１２ａ，１３ａ，１６ａの図示を省略している。また、バックル１２ｂ，１３ｂ，１４ｂ，１５ｂ，１６ｂ，１７ｂの図示を省略している。
【００４７】
図１０に示すように、ダンス用姿勢矯正具は、姿勢補強板部材３１および調整部材３２ａ，３２ｂを有している。姿勢補強板部材３１は、板部材１１の人と接する側の上部において設けられ、板部材１１より面積が小さい。
【００４８】
調整部材３２ａ，３２ｂは、板部材１１に姿勢補強板部材３１を連結している。また、調整部材３２ａ，３２ｂは、板部材１１と姿勢補強板部材３１との距離を調整することができる。例えば、調整部材３２ａ，３２ｂは、図１０の左右方向において、板部材１１と姿勢補強板部材３１との距離を調整することができる。
【００４９】
なお、以下で述べるように、姿勢補強板部材３１は、調整部材３２ａ，３２ｂの他に、図示していないもう２つの調整部材によって、板部材１１に連結されている。
図１１は、ダンス用姿勢矯正具の正面図を示した図である。図１１において、図１０と同じものには同じ符号を付している。
【００５０】
図１１に示すように、姿勢補強板部材３１は、図１０で示した調整部材３２ａ，３２ｂの他に、調整部材３２ｃ，３２ｄによって板部材１１に連結されている。姿勢補強板部材３１は、調整部材３２ａ〜３２ｄによって、板部材１１との距離を調整することができる。
【００５１】
図１２は、調整部材を説明する図である。図１２は、図１０の調整部材３２ａ部分を拡大した図であり、姿勢補強板部材３１を板部材１１に連結する前の様子を示している。図１２において、図１０と同じものには同じ符号が付してある。
【００５２】
図１２に示すように、調整部材３２ａは、調整軸３２ａａおよび調整軸受部３２ａｂ，３２ａｃを有している。調整軸３２ａａは、例えば、バックルシャフトであり、両端にねじ山を有している。
【００５３】
調整軸受部３２ａｂは、調整軸３２ａａの一方のねじ山に嵌合するねじ山を有し、調整軸受部３２ａｃは、調整軸３２ａａの他方のねじ山に嵌合するねじ山を有している。調整軸受部３２ａｂは、姿勢補強板部材３１に固定され、調整軸受部３２ａｃは、板部材１１に固定されている。
【００５４】
姿勢補強板部材３１を板部材１１に連結するには、調整軸３２ａａの一方のねじ山を調整軸受部３２ａｂに嵌め、調整軸３２ａａの他方のねじ山を調整軸受部３２ａｃに嵌め、調整軸３２ａａを図１２の矢印Ａ１１に示すように回転する。これにより、姿勢補強板部材３１は、板部材１１に連結される。そして、調整軸３２ａａをさらに矢印Ａ１１方向に回せば、姿勢補強板部材３１と板部材１１との距離が縮まる。また、調整軸３２ａａを、矢印Ａ１１方向と反対の方向に回せば、姿勢補強板部材３１と板部材１１との距離は広がる。
【００５５】
このように、ダンス用姿勢矯正具は、板部材１１の人と接する側の上部において設けられる、板部材１１より小さい姿勢補強板部材３１と、板部材１１と姿勢補強板部材３１との距離を調整する調整部材３２ａ〜３２ｄとを有するようにした。これにより、ダンス中に胸を十分に張るよう姿勢を矯正することができる。
【００５６】
例えば、猫背の酷い人の場合、調整部材３２ａ〜３２ｄによって、板部材１１と姿勢補強板部材３１との距離を広げるようにする。これにより、猫背の酷い人においても、ダンス中に胸を十分に張るよう姿勢を矯正することができる。
なお、本件は、上述した実施の形態に限定されるわけではなく、その他種々の変更が可能である。また、本件に、他の任意の構成物等が付加されていてもよい。
また、本件は、上述した各実施の形態のうち、任意の２以上の実施の形態を組み合わせたものであってもよい。
【符号の説明】
【００５７】
１１  板部材
１２ａ，１３ａ，１４ａ，１５ａ，１６ａ，１７ａ  ベルト部材
１２ｂ，１３ｂ，１４ｂ，１５ｂ，１６ｂ，１７ｂ  バックル
【図１】
0003180321.tif 000003
【図２】
0003180321.tif 000004
【図３】
0003180321.tif 000005
【図４】
0003180321.tif 000006
【図５】
0003180321.tif 000007
【図６】
0003180321.tif 000008
【図７】
0003180321.tif 000009
【図８】
0003180321.tif 000010
【図９】
0003180321.tif 000011
【図１０】
0003180321.tif 000012
【図１１】
0003180321.tif 000013
【図１２】
0003180321.tif 000014